(57)【特許請求の範囲】
【請求項１】
キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、かつ、ノートＰＣ構成では、前記第２の面が底面となり、タブレットＰＣ構成では前記第１の面が底面となるように構成された携帯型情報処理装置であって、
前記本体側筐体の内部に配置され、前記第１の面方向に指向性のある第１のアンテナと、
前記本体側筐体の内部に配置され、前記第２の面方向に指向性のある第２のアンテナと、
前記第１のアンテナ又は前記第２のアンテナを使用して無線通信を行う無線通信モジュールと、
前記ノートＰＣ構成では、前記第１のアンテナを前記無線通信モジュールに接続し、前記タブレットＰＣ構成では、前記第２のアンテナを前記無線通信モジュールに接続する切替手段と、
を備えたことを特徴とする携帯型情報処理装置。
【請求項２】
前記第１のアンテナおよび第２のアンテナは、パッチアンテナであることを特徴とする請求項１に記載の携帯型情報処理装置。
【請求項３】
前記第１のアンテナおよび前記第２のアンテナは略同一の構成を有し、これらの電波放射面側が互いに逆方向となるように配置されていることを特徴とする請求項１又は請求項２に記載の携帯型情報処理得装置。
【請求項４】
さらに、前記ディスプレイ側筐体の前記タッチスクリーンが配置される面と対向する面側が閉じられるのを検出する検出手段を備え、
前記切替手段は、前記検出手段が前記ディスプレイ側筐体の前記タッチスクリーンが配置される面と対向する面側が閉じられるのを検出した場合には、前記第２のアンテナを前記無線通信モジュールに接続し、前記検出手段が前記ディスプレイ側筐体の前記タッチスクリーンが配置される面と対向する面側が閉じられるのを検出していない場合には、前記第１のアンテナを前記無線通信モジュールに接続することを特徴とする請求項１〜請求項３のいずれか１つに記載の携帯型情報処理装置。
【請求項５】
前記ディスプレイ側筐体は、前記本体側筐体に対して略３６０度回動可能であることを特徴とする請求項１〜請求項４のいずれか１つに記載の携帯型情報処理装置。
【請求項６】
キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、ノートＰＣ構成では、前記第２の面が底面となり、タブレットＰＣ構成では前記第１の面が底面となるように構成された携帯型情報処理装置のアンテナ制御方法であって、
無線通信手段が、前記本体側筐体の内部に配置され、前記第１の面方向に指向性のある第１のアンテナ又は前記本体側筐体の内部に配置され、前記第２の面方向に指向性のある第２のアンテナを使用して無線通信を行う工程と、
切替手段が、前記ノートＰＣ構成では、前記第１のアンテナを前記無線通信手段に接続し、前記タブレットＰＣ構成では、前記第２のアンテナを前記無線通信手段に接続する工程と、を含むことを特徴とする携帯型情報処理装置のアンテナ制御方法。
【請求項７】
キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、ノートＰＣ構成では、前記第２の面が底面となり、タブレットＰＣ構成では前記第１の面が底面となるように構成された携帯型情報処理装置に搭載されるプログラムであって、
無線通信手段が、前記本体側筐体の内部に配置され、前記第１の面方向に指向性のある第１のアンテナ又は前記本体側筐体の内部に配置され、前記第２の面方向に指向性のある第２のアンテナを使用して無線通信を行う工程と、
切替手段が、前記ノートＰＣ構成では、前記第１のアンテナを前記無線通信手段に接続し、前記タブレットＰＣ構成では、前記第２のアンテナを前記無線通信手段に接続する工程と、
をコンピュータに実行させることを特徴とするコンピュータが実行可能なプログラム。
【発明の詳細な説明】
【技術分野】
【０００１】
本発明は、携帯型情報処理装置、そのアンテナ制御方法、及びコンピュータが実行可能なプログラムに関する。  
【背景技術】
【０００２】
携帯電話や情報処理装置などのような人体に接近した状態で使用される無線通信機器が普及するにつれて、これらの通信機器から発射される電波の人体に対する影響についての関心が高まっている。そのため、多くの国では、人体に吸収される電波の電力量の指標であるＳＡＲ（Ｓｐｅｃｉｆｉｃ  Ａｂｓｏｒｐｔｉｏｎ  Ｒａｔｅ）の許容量について基準を定めている。ＳＡＲは、単位質量の人体組織に単位時間に吸収されるエネルギーを意味する。周波数が高くなるほど人体に対する影響（吸収率）が大きい。例えば、日本では総務省令・無線設備規則によって、携帯無線通信を行う陸上移動局は人体の特定の部位に対するＳＡＲである局所ＳＡＲを所定値以下とすることが義務づけられている。ＥＵでは２．０ｍＷ／ｇ以下、ＦＣＣでは１．６ｍＷ／ｇ以下となっている。  
【０００３】
例えば、ノートＰＣやタブレットＰＣではその特有の操作方式によりＳＡＲが問題になることがある。具体的には、例えば、ユーザはタブレットＰＣを膝の上に載せて操作する場合がある。この体勢では、ノートＰＣやタブレットＰＣの筐体が、ユーザの膝、胸部又は腹部などに接触又は接近する可能性がある。
【０００４】
人体の特定の部位に対するＳＡＲを所定値以下にするためには、例えば、全方向に指向性のあるアンテナを筐体に内蔵した場合には、アンテナと筐体の底面との距離を所定値以上とするか、又は、無線モジュールの送信電力を下げる必要がある。
【０００５】
しかしながら、アンテナと筐体の底面との距離を所定値以上とするためには、筐体を厚くする必要があるため、筐体を薄くすることができないという問題がある。また、無線モジュールの送信電力を下げる方法では、送信パフォーマンスが低下するという問題がある。
【０００６】
ところで、近時、ノートＰＣ及びタブレットＰＣとして使用可能なコンバーチブル型ＰＣと呼ばれる携帯型情報処理装置がある。コンバーチブル型ＰＣでは、ノートＰＣ構成の状態で、タッチスクリーンが配置されるディスプレイ側筐体を、キーボードやタッチパッドが配置される本体側筐体に対して、ヒンジにより水平軸に３６０度回転させてタブレットＰＣ構成とするものがある。かかるタイプのコンバーチブル型ＰＣでは、タブレットＰＣ構成の場合は、本体側筐体のキーボードやタッチパッドが配置された面が底面となる。そのため、ノートＰＣ構成で使用する場合とタブレットＰＣ構成で使用する場合とで、底面が異なることになる。
【先行技術文献】
【特許文献】
【０００７】
【特許文献１】特開２０００−２８４８５４号公報
【特許文献２】特開２００１−１１９２３０号公報
【発明の概要】
【発明が解決しようとする課題】
【０００８】
本発明は、上記に鑑みてなされたものであり、無線通信用のアンテナを搭載し、ノートＰＣ及びタブレットＰＣとして使用可能な携帯型情報処理装置において、アンテナを搭載する筐体を厚くすることなく、電波に関する法令に定められる基準を満たすことが可能な携帯型情報処理装置、そのアンテナ制御方法、及びコンピュータが実行可能なプログラムを提供することを目的とする。  
【課題を解決するための手段】
【０００９】
上述した課題を解決し、目的を達成するために、本発明は、キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、ノートＰＣ構成では、前記第２の面が底面となり、タブレットＰＣ構成では前記第１の面が底面となるように構成された携帯型情報処理装置であって、前記本体側筐体の内部に配置され、前記第１の面方向に指向性のある第１のアンテナと、前記本体側筐体の内部に配置され、前記第２の面方向に指向性のある第２のアンテナと、前記第１のアンテナ又は前記第２のアンテナを使用して無線通信を行う無線通信モジュールと、前記ノートＰＣ構成では、前記第１のアンテナを前記無線通信モジュールに接続し、前記タブレットＰＣ構成では、前記第２のアンテナを前記無線通信モジュールに接続する切替手段と、を備えたことを特徴とする。
【００１０】
また、本発明の好ましい態様によれば、前記第１のアンテナおよび第２のアンテナは、パッチアンテナであることが望ましい。
【００１１】
また、本発明の好ましい態様によれば、前記第１のアンテナおよび前記第２のアンテナは略同一の構成を有し、それらの電波放射面側が互いに逆方向となるように配置されていることが望ましい。
【００１２】
また、本発明の好ましい態様によれば、さらに、前記ディスプレイ側筐体の前記タッチスクリーンが配置される面と対向する面側が閉じられるのを検出する検出手段を備え、前記切替手段は、前記検出手段が前記ディスプレイ側筐体の前記タッチスクリーンが配置される面と対向する面側が閉じられるのを検出した場合には、前記第１のアンテナを前記無線通信モジュールに接続し、前記検出手段が前記ディスプレイ側筐体の前記タッチスクリーンが配置される面と対向する面側が閉じられるのを検出していない場合には、前記第２のアンテナを前記無線通信モジュールに接続することが望ましい。
【００１３】
また、本発明の好ましい態様によれば、前記ディスプレイ側筐体は、前記本体側筐体に対して略３６０度回動可能であることが望ましい。
【００１４】
また、上述した課題を解決し、目的を達成するために、本発明は、キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、ノートＰＣ構成では、前記第２の面が底面となり、タブレットＰＣ構成では前記第１の面が底面となるように構成された携帯型情報処理装置のアンテナ制御方法であって、前記無線通信手段が、前記本体側筐体の内部に配置され、前記第１の面方向に指向性のある第１のアンテナ又は前記本体側筐体の内部に配置され、前記第２の面方向に指向性のある第２のアンテナを使用して無線通信を行う工程と、切替手段が、前記ノートＰＣ構成では、前記第１のアンテナを前記無線通信手段に接続し、前記タブレットＰＣ構成では、前記第２のアンテナを前記無線通信手段に接続する工程と、を含むことを特徴とする。
【００１５】
また、上述した課題を解決し、目的を達成するために、本発明は、キーボードが配置される第１の面と前記第１の面に対向する第２の面とを備えた本体側筐体に対して、タッチスクリーンが配置されるディスプレイ側筐体が回動可能に構成されており、ノートＰＣ及びタブレットＰＣとして使用可能に構成され、ノートＰＣ構成では、前記第２の面が底面となり、タブレットＰＣ構成では前記第１の面が底面となるように構成された携帯型情報処理装置に搭載されるプログラムであって、無線通信手段が、前記本体側筐体の内部に配置され、前記第１の面方向に指向性のある第１のアンテナ又は前記本体側筐体の内部に配置され、前記第２の面方向に指向性のある第２のアンテナを使用して無線通信を行う工程と、切替手段が、前記ノートＰＣ構成では、前記第１のアンテナを前記無線通信手段に接続し、前記タブレットＰＣ構成では、前記第２のアンテナを前記無線通信手段に接続する工程と、をコンピュータに実行させることを特徴とする。
【発明の効果】
【００１６】
本発明によれば、無線通信用のアンテナを搭載し、ノートＰＣ及びタブレットＰＣとして使用可能な携帯型情報処理装置において、アンテナを搭載する筐体を厚くすることなく、電波に関する法令に定められる基準を満たすことが可能となる。  
【図面の簡単な説明】
【００１７】
【図１−Ａ】図１−Ａは、実施の形態に係る携帯型情報処理装置が閉じた位置の斜視図である。
【図１−Ｂ】図１−Ｂは、図１−Ａの実施の形態の構成に係る携帯型情報処理装置が閉じた位置にある斜視図である。
【図１−Ｃ】図１−Ｃは、図１−Ａの実施の形態の構成に係る携帯型情報処理装置が開いた位置にある斜視図である。
【図１−Ｄ】図１−Ｄは、図１−Ａの実施の形態の他の構成に係る携帯型情報処理装置のキーボードが上向きの状態にある斜視図である。
【図１−Ｅ】図１−Ｅは、図１−Ａの実施の形態の他の構成に係る携帯型情報処理装置のタッチスクリーンが上向きの状態にある斜視図である。
【図２】図２は、本実施の形態に係る第１及び第２のアンテナの電波の出射方向及び人体との位置関係を説明するための模式図である。
【図３】図３は、携帯型情報処理装置のハードウェアの構成を示す概略図である。
【発明を実施するための形態】
【００１８】
以下に、この発明に係る携帯型情報処理装置、そのアンテナ制御方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、本明細書の特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。なお、この実施の形態によりこの発明が限定されるものではない。また、下記実施の形態における構成要素には、当業者が容易に想定できるもの又は実質的に同一のものが含まれる。
【００１９】
図１−Ａ〜図１−Ｅを参照して、本実施の形態に係る携帯型情報処理装置の外観構成を説明する。本実施の形態の携帯型情報処理装置は、いわゆるコンバーチブル型ＰＣであり、ノートＰＣ及びタブレットＰＣとして使用することができる。  
【００２０】
図１−Ａは、実施の形態に係る携帯型情報処理装置が閉じた位置の斜視図である。図１−Ｂは、図１−Ａの実施の形態の構成に係る携帯型情報処理装置が閉じた位置にある斜視図である。図１−Ｃは、図１−Ａの実施の形態の構成に係る携帯型情報処理装置が開いた位置にある斜視図である。図１−Ｄは、図１−Ａの実施の形態の他の構成に係る携帯型情報処理装置のキーボードが上向きの状態にある斜視図である。図１−Ｅは、図１−Ａの実施の形態の他の構成に係る携帯型情報処理装置のタッチスクリーンが上向きの状態にある斜視図である。
【００２１】
図１−Ａ〜図１−Ｅに示すように、携帯型情報処理装置１は、ＬＣＤ１３とＬＣＤ１３上に配置されたタッチセンサ１４で構成されるタッチスクリーン１６が配置されたディスプレイ側筐体１１と、キーボード１７及びタッチパッド１８を含む入力ユニット１９が配置された本体側筐体１２と、を備え、ディスプレイ側筐体１１と本体側筐体１２は、一対のヒンジ（ｈｉｎｇｅ）２０を介して接続されている。ディスプレイ側筐体１１は、タッチスクリーン１６が配置される第１の面（前面）１１ａと、第１の面１１ａに対向する第２の面（背面）１１ｂと、を有している。また、本体側筐体１２は、入力ユニット１９が配置される第１の面（前面）１２ａと、第１の面１２ａと対向する第２の面（背面）１２ｂとを有している。
【００２２】
携帯型情報処理装置１は、本体側筐体１２内に、ＣＰＵ、第１のアンテナ３１及び第２のアンテナ３２、及び無線通信モジュール等を搭載した回路基板等備えている。第１のアンテナ３１および第２のアンテナ３２は同一の構成を有しており、これらの電波放射面側が互いに逆方向となるようにＺ軸方向に重ねて配置されている（図２参照）。第１のアンテナ３１及び第２のアンテナ３２は、例えば、パッチアンテナで構成することができる。第１のアンテナ３１は、本体側筐体１２の第１の面１２ａ方向に指向性を有しており、第２のアンテナ３２は、本体側筐体１２の第２の面１２ｂ方向に指向性を有している。なお、第１及び第２のアンテナ３１、３２は、Ｚ軸方向に重ねて配置する替わりに、Ｘ軸方向やＹ軸方向に並べて配置してもよい。
【００２３】
タッチスクリーン１６は、図１−Ａに示すように、携帯型情報処理装置１が閉じた位置にある場合に、本体側筐体１２と対向する。タッチスクリーン１６は、ＣＰＵによって制御可能となるように接続されており、データを携帯型情報処理装置１のユーザに提示する。  
【００２４】
一対のヒンジ２０は、ディスプレイ側筐体１１の端部１１ｃと本体側筐体１２の端部１２ｃで連結されている。ディスプレイ側筐体１１は、本体側筐体１２に対して、一対のヒンジ２０の周りを回動することができる。ディスプレイ側筐体１１は、本体側筐体１２に対して（Ｘ軸の周りを）実質的に３６０度回動可能となっている。
【００２５】
図１−Ｂ〜図１−Ｄは、本体側筐体１２に対して異なった角度で開くことができるディスプレイ側筐体１１の操作例を示している。図１−Ｅは、さらに、上方を向いているタッチスクリーン１６を示している。ユーザは、例えば、指等の指示体を用いてタッチスクリーン１６にタッチ操作を行うことができる。
【００２６】
上記構成の携帯型情報処理装置１は、図１−Ｂに示す状態では、ノートＰＣ構成となり、通常のノートＰＣとして、入力ユニット１９による操作及びタッチスクリーン１６による操作で使用することができる。また、図１−Ｄ及び図１−Ｅに示すように、ディスプレイ側筐体１１を本体側筐体１２に対して３６０度回転させて、本体側筐体１４の上にディスプレイ側筐体１５を重ねるように折り畳み、タッチスクリーン１６を、表を向くようにすればタブレットＰＣ構成となる。  
【００２７】
本体側筐体１２の内部の第２の面１２ａ側には、携帯型情報処理装置１がタブレットＰＣ構成となったことを検出するためのＬＩＤセンサ（不図示）が設けられている。ディスプレイ側筐体１１の第２の面１１ｂ側には、ディスプレイ側筐体１１が３６０度回動して、ディスプレイ側筐体１１の第２の面側１１ｂが閉じられた場合（タブレットＰＣ構成）に、本体側筐体１２の第２の面１２側に設けられたＬＩＤセンサと対応する位置に永久磁石４０が埋め込まれている。携帯型情報処理装置１では、ＬＩＤセンサの検出結果に基づいて、ノートＰＣ構成であるか、又は、タブレットＰＣ構成であるかを検出することが可能となっている。
【００２８】
ノートＰＣ構成として使用する場合は、図１−Ｂに示すように、本体側筐体１２の第２の面１２ｂが底面となる。また、タブレットＰＣ構成として使用する場合は、図１−Ｅに示すように、本体側筐体１２の第１の面１２ａが底面となる。すなわち、ノートＰＣ構成とタブレットＰＣ構成とでは使用する場合に底面が異なることになる。ノートＰＣ構成では、第１のアンテナ３１を無線通信モジュールに接続して第１のアンテナ３１を使用する。他方、タブレットＰＣ構成では、第２のアンテナ３２を無線通信モジュールに接続して第２のアンテナ３２を使用する。
【００２９】
図２は、本実施の形態に係る第１及び第２のアンテナ３１，３２の電波の出射方向及び人体との位置関係を説明するための模式図である。ところで、人体の特定の部位に対するＳＡＲを所定値以下にする必要があるが、全方向に指向性のあるアンテナを使用した場合には、アンテナと筐体の底面との距離を所定値以上とする必要がある。本体側筐体１２の厚さ（Ｚ軸方向の幅）を薄く構成した場合において、ノートＰＣ構成及びタブレットＰＣ構成で使用する場合、例えば、ユーザが膝の上において使用する場合には、アンテナと筐体の底面との距離が所定値以下となってしまう。
【００３０】
そこで、本実施の形態では、上述したように、ノートＰＣ構成では、第１のアンテナ３１を無線通信モジュールに接続して、第１のアンテナ３１を使用することにより、電波Ｅ１の出射方向を人体（例えば、膝）と反対方向の本体側筐体１２の第１の面１２ａ側とする。他方、タブレットＰＣ構成では、第２のアンテナ３２を無線通信モジュールに接続して、第２のアンテナ３２を使用することにより、電波Ｅ２の出射方向を、人体と反対方向の本体側筐体１２の第２の面１２ｂ側とする。これにより、例えば、ユーザが携帯型情報処理装置１を膝の上に置いてノートＰＣ構成又はタブレットＰＣ構成で使用する場合でも、人体の特定の部位に対するＳＡＲを所定値以下とすることができる。
【００３１】
図３は、上記携帯型情報処理装置１のハードウェアの概略構成を示すブロック図である。本体側筐体１２には、入力ユニット１９，ＣＰＵ２１，ＣＰＵブリッジ２２，Ｉ／Ｏブリッジ２３、メイン・メモリ２４、エンベデッド・コントローラ２５、電源装置２６、Ｉ／Ｏコントローラ２７、ビデオ・コントローラ２８、ＨＤＤ２９、無線通信モジュールである無線ＬＡＮモジュール３０、第１のアンテナ３１、第２のアンテナ３２、切替部３３、及びＬＩＤセンサ３５等が設けられている。ディスプレイ側筐体１１には、ＬＣＤ１３とタッチセンサ１４とで構成されるタッチスクリーン１６が設けられている。
【００３２】
ＣＰＵ２１は、ノートＰＣの中枢機能を担う演算処理装置で、例えば、Ｗｉｎｄｏｗｓ（登録商標）等のＯＳ、ＢＩＯＳ、デバイス・ドライバ、あるいはアプリケーション・プログラムなどを実行する。ＣＰＵ２１は、ＣＰＵブリッジ２２及びＩ／Ｏブリッジ２３を中心に構成されるチップ・セットにさまざまなバスを経由して接続された各デバイスを制御する。
【００３３】
ＣＰＵブリッジ２２は、メイン・メモリ２４へのアクセス動作を制御するためのメモリ・コントローラ機能や、ＣＰＵ２１と他のデバイスとの間のデータ転送速度の差を吸収するためのデータ・バッファ機能などを含む。メイン・メモリ２４はＣＰＵブリッジ２２に接続され、ＣＰＵ２１が実行するプログラムの読み込み領域、処理データを書き込む作業領域として利用される書き込み可能メモリである。ビデオ・コントローラ２８はＣＰＵブリッジ２２に接続され、ビデオ・チップ（図示せず）及びＶＲＡＭ（図示せず）を実装しており、ＣＰＵ２１からの描画命令を受けて描画すべきイメージを生成してＶＲＡＭに書き込み、ＶＲＡＭから読み出したイメージを描画データとしてＬＣＤ１３に送る。
【００３４】
無線ＬＡＮモジュール３０は、Ｉ／Ｏブリッジ２３及び切替部３３に接続されている。無線ＬＡＮモジュール３０は、切替部３３を介して接続される第１のアンテナ３１又は第２のアンテナ３２の動作を制御して、所定周波数帯域のチャネルを使用して無線通信を行うことが可能となっている。
【００３５】
また、Ｉ／Ｏブリッジ２３は、シリアルＡＴＡインターフェース及びＵＳＢインターフェース（図示せず）としての機能も含み、シリアルＡＴＡを介してハードディスク・ドライブ（ＨＤＤ）２９、及び光学ドライブ（図示せず）などと接続される。ＨＤＤ２９には、ＯＳ、デバイス・ドライバ、あるいはアプリケーション・プログラムなどが格納される。さらにＩ／Ｏブリッジ２３には、ＬＰＣバス４０を介してエンベデッド・コントローラ（ＥＣ）２５、Ｉ／Ｏコントローラ２７などが接続されている。Ｉ／Ｏコントローラ２７にはタッチセンサ１４が接続されている。Ｉ／Ｏコントローラ２７はタッチセンサ１４の動作を制御する。エンベデッド・コントローラ（ＥＣ）２５には入力ユニット１９、電源装置２６、及びＬＩＤセンサ３５等が接続されている。エンベデッド・コントローラ２５は、入力ユニット１９、電源装置２６、及びＬＩＤセンサ３５等の動作を制御する。
【００３６】
ＬＩＤセンサ３５は、切替部３３に接続されている。ＬＩＤセンサ３５は、ディスプレイ側筐体１１の第２の面１１ｂ側が閉じられたか否かを検出し、その検知結果（例えば、閉じ検出「１」、閉じ不検出「０」）を切替部３３に出力する。本実施の形態では、ディスプレイ側筐体１１の第２の面１１ｂ側が閉じられた状態をタブレットＰＣ構成、閉じられていない状態をノートＰＣ構成としている。
【００３７】
ディスプレイ側筐体１１の第２の面側１２には永久磁石４０が埋め込まれており、ディスプレイ側筐体１１の第２の面１１ｂ側が閉じられた状態で、永久磁石４０は本体側筐体１２の第２の面１２ｂ側に配置されたＬＩＤセンサ３５に接近する。ディスプレイ側筐体１１の第２の面側１１ｂが開かれると、永久磁石４０はＬＩＤセンサ３５から離れる。ＬＩＤセンサ３５は、永久磁石４０からの磁力を感知することにより、永久磁石４０が自らに接近しているか否かを検出することができ、そこからディスプレイ側筐体１１の第２の面側１１ｂが閉じられた状態か開かれた状態かを知ることができる。
【００３８】
切替部３３は、無線ＬＡＮモジュール３０、ＬＩＤセンサ３５、第１のアンテナ３１，及び第２のアンテナ３２に接続されている。切替部３３は、ＬＩＤセンサ３５から出力される検出結果に基づいて、第１のアンテナ３１又は第２のアンテナ３２に接続を切り替える。ＬＩＤセンサ３５でディスプレイ側筐体１１の第２の面側１１ａ側が閉じられたことを検出された場合（例えば、閉じ検出「１」）には、すなわち、タブレットＰＣ構成の場合には、切替部３３は、第２のアンテナ３２に接続を切り替え、無線ＬＡＮモジュール３０に第２のアンテナ３２を接続する。他方、ＬＩＤセンサ３５でディスプレイ側筐体１１の第２の面１１ｂ側が閉じられたことが検出されない場合（例えば、閉じ不検出「０」）には、すなわち、ノートＰＣ構成の場合には、切替部３３は、第１のアンテナ３１に接続を切り替え、無線ＬＡＮモジュール３０に第１のアンテナ３１を接続する。
【００３９】
以上説明したように、本実施の形態によれば、キーボード１７が配置される第１の面１２ａと第１の面１２ａに対向する第２の面１２ｂとを備えた本体側筐体１２に対して、タッチスクリーン１６が配置されるディスプレイ側筐体１１が回動可能に構成されており、ノートＰＣ及びタブレットＰＣとして使用可能に構成され、ノートＰＣ構成では、第２の面１２ｂが底面となり、タブレットＰＣ構成では第１の面１２ａが底面となるように構成された携帯型情報処理装置１において、本体側筐体１１の内部に配置され、第１の面１２ａ方向に指向性のある第１のアンテナ３１と、本体側筐体１１の内部に配置され、第２の面１２ｂ方向に指向性のある第２のアンテナ３２と、第１のアンテナ３１又は第２のアンテナ３２を使用して無線通信を行う無線ＬＡＮモジュール３０と、ノートＰＣ構成では、第１のアンテナ３１を無線ＬＡＮモジュール３０に接続し、タブレットＰＣ構成では、第２のアンテナ３２を無線ＬＡＮモジュールに接続する切替部３３と、を備えているので、無線通信用のアンテナを搭載し、ノートＰＣ及びタブレットＰＣとして使用可能な携帯型情報処理装置において、アンテナを搭載する筐体を厚くすることなく、電波に関する法令に定められる基準（例えば、ＳＡＲ）を満たすことが可能となる。
【００４０】
また、第１のアンテナ３１および第２のアンテナ３２としてパッチアンテナを使用することとしたので、特定方向に指向性のあるアンテナを使用することが可能となる。
【００４１】
また、第１のアンテナ３１および第２のアンテナ３２は略同一の構成を有し、それらの電波放射面側が互いに逆方向となるように配置されていることとしたので、同一のアンテナを使用することが可能となる。
【００４２】
また、ディスプレイ側筐体１１のタッチスクリーン１６が配置される第１の面１１ａと対向する第２の面１１ｂ側が閉じられるのを検出するためのＬＩＤセンサ３５を備え、切替部３３は、ＬＩＤセンサ３５がディスプレイ側筐体１１の第２の面１１ｂ側が閉じられるのを検出した場合には、タブレットＰＣ構成であると判断して、第２のアンテナ３２を無線ＬＡＮモジュール３０に接続し、ＬＩＤセンサ３５がディスプレイ側筐体１１の第２の面１１ｂ側が閉じられるのを検出していない場合には、ノートＰＣ構成であるとして、第１のアンテナ３１を無線ＬＡＮモジュール３０に接続することとしたので、タブレットＰＣ構成とノートＰＣ構成を簡単に検出することが可能となる。
【００４３】
なお、上記した実施の形態では、ディスプレイ側筐体１２を入力ユニット１９が配置される本体側筐体１２に対して、ヒンジ２０により３６０度回転させてタブレットＰＣ構成となる場合を説明したが、本発明はこれに限られるものではなく、ノートＰＣ構成とタブレットＰＣ構成とで底面が異なるコンバーチブル型ＰＣの全てに適用可能であり、本実施の形態と異なる回転機構を使用したものにも適用可能である。
【００４４】
なお、上記実施の形態では、無線通信モジュールとして、無線ＬＡＮモジュールについて説明したが、本発明はこれに限られるわけではなく、他の無線通信モジュールにも適用可能である。
【００４５】
また、上記実施の形態では、携帯型情報処理装置としてコンバーチブル型のノートＰＣについて説明したが、本発明はこれに限られるものではなく、ＰＤＡや携帯電話等の他の携帯型情報処理装置にも適用可能である。  
【産業上の利用可能性】
【００４６】
以上のように、本発明に係る携帯型情報処理装置、そのアンテナ制御方法、及びコンピュータが実行可能なプログラムは、電波に関する法令に定められる基準を満たす必要がある場合に有用である。  
【符号の説明】
【００４７】
１  携帯型情報処理装置
１１  ディスプレイ側筐体
１２  本体側筐体
１３  ＬＣＤ
１６  タッチスクリーン
１７  キーボード
１８  タッチパッド
１９  入力ユニット
２０  ヒンジ
２１  ＣＰＵ
２２  ＣＰＵブリッジ
２３  Ｉ／Ｏブリッジ
２４  メイン・メモリ
２５  エンベデッド・コントローラ
２６  電源装置
２７  Ｉ／Ｏコントローラ
２８  ビデオ・コントローラ
２９  ＨＤＤ
３０  無線ＬＡＮモジュール
３１  第１のアンテナ
３２  第２のアンテナ
３３  切替部
３５  ＬＩＤセンサ
【図１−Ａ】
0005894138.tif 000002
【図１−Ｂ】
0005894138.tif 000003
【図１−Ｃ】
0005894138.tif 000004
【図１−Ｄ】
0005894138.tif 000005
【図１−Ｅ】
0005894138.tif 000006
【図２】
0005894138.tif 000007
【図３】
0005894138.tif 000008